(57)【特許請求の範囲】
【請求項１】
上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、
互いに直交した第１水平方向と第２水平方向のうち前記第１水平方向で対向した１対の第１側壁におけるコンテナのコーナー部近傍に前記積上支持突部を１つずつ設けて、それら両方の第１側壁における前記第２水平方向の一端側の積上支持突部を他端側の積上支持突部より前記コンテナのコーナー部から比較的離れた中央寄り積上支持突部とする一方、前記他端側の積上支持突部を前記コンテナのコーナー部に比較的近い端寄り積上支持突部とし、
コンテナの上に別のコンテナを１８０度旋回させて積み上げるか、旋回せずに積み上げるかによって、上側のコンテナの前記積上支持突部が下側のコンテナの前記突部受容溝に受容されたネスティング状態と、上側のコンテナの前記積上支持突部が下側のコンテナの前記第１側壁の上面に当接したスタッキング状態とに変更可能なコンテナにおいて、
前記１対の第１側壁の外側面のうち前記中央寄り積上支持突部と前記コーナー部との間には、上側のコンテナを傾けて前記中央寄り積上支持突部を下側のコンテナにおける前記第１側壁の上面に突き当てた場合に、上側のコンテナの前記第１側壁と下側のコンテナの前記第１側壁との間に配置される第１ズレ規制突部が突出形成されたことを特徴とするコンテナ。
【請求項２】
上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、
前記積上支持突部を各側壁におけるコンテナのコーナー部近傍に１つずつ設け、
互いに直交した第１水平方向と第２水平方向のうち前記第１水平方向で対向した１対の第１側壁では、それら両方の第１側壁における前記第２水平方向の一端側の積上支持突部を他端側の積上支持突部より前記コンテナのコーナー部から比較的離れた中央寄り積上支持突部とする一方、前記他端側の積上支持突部を前記コンテナのコーナー部に比較的近い端寄り積上支持突部とし、
前記第２水平方向で対向した１対の第２側壁では、一方の前記第２側壁における１対の積上支持突部を、共に、他方の前記第２側壁における１対の積上支持突部より前記コンテナのコーナー部から比較的離れた中央寄り積上支持突部とする一方、前記他方の第２側壁における１対の積上支持突部を、共に、前記コンテナのコーナー部に比較的近い端寄り積上支持突部とし、
コンテナの上に別のコンテナを１８０度旋回させて積み上げるか、旋回せずに積み上げるかによって、上側のコンテナの前記積上支持突部が下側のコンテナの前記突部受容溝に受容されたネスティング状態と、上側のコンテナの前記積上支持突部が下側のコンテナの前記第１側壁及び前記第２側壁の上面に当接したスタッキング状態とに変更可能なコンテナにおいて、
前記１対の第１側壁の外側面のうち前記中央寄り積上支持突部と前記コーナー部との間には、上側のコンテナを傾けて前記第１側壁の前記中央寄り積上支持突部を下側のコンテナにおける前記第１側壁の上面に突き当てた場合に、上側のコンテナの前記第１側壁と下側のコンテナの前記第１側壁との間に配置される第１ズレ規制突部が突出形成され、
前記一方の第２側壁の外側面のうち前記中央寄り積上支持突部と前記コーナー部との間には、上側のコンテナを傾けて前記第２側壁の前記端寄り積上支持突部を、下側のコンテナにおける前記第２側壁の上面に突き当てた場合に、上側のコンテナの前記第２側壁と下側のコンテナの前記第２側壁との間に配置される第２ズレ規制突部が突出形成されたことを特徴とするコンテナ。
【請求項３】
上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、
互いに直交した第１水平方向と第２水平方向のうち前記第２水平方向で対向した１対の第２側壁におけるコンテナのコーナー部近傍に前記積上支持突部を１つずつ設けて、一方の前記第２側壁における１対の積上支持突部を、共に、他方の前記第２側壁における１対の積上支持突部より前記コンテナのコーナー部から比較的離れた中央寄り積上支持突部とする一方、前記他方の第２側壁における１対の積上支持突部を、共に、前記コンテナのコーナー部に比較的近い端寄り積上支持突部とし、
コンテナの上に別のコンテナを１８０度旋回させて積み上げるか、旋回せずに積み上げるかによって、上側のコンテナの前記積上支持突部が下側のコンテナの前記突部受容溝に受容されたネスティング状態と、上側のコンテナの前記積上支持突部が下側のコンテナの前記第２側壁の上面に当接したスタッキング状態とに変更可能なコンテナにおいて、
前記一方の第２側壁の外側面のうち前記中央寄り積上支持突部と前記コーナー部との間には、上側のコンテナを傾けて前記第２側壁の前記端寄り積上支持突部を、下側のコンテナにおける前記第２側壁の上面に突き当てた場合に、上側のコンテナの前記第２側壁と下側のコンテナの前記第２側壁との間に配置される第２ズレ規制突部が突出形成されたことを特徴とするコンテナ。
【請求項４】
前記積上支持突部の下端部は、コンテナの外側面の下端より上方に配置され、
前記他方の第２側壁の外側面における前記端寄り積上支持突部の下方でかつ前記第２水平方向で前記第２ズレ規制突部と対向する位置には、上側のコンテナを傾けて前記第２側壁の前記端寄り積上支持突部を、下側のコンテナにおける前記第２側壁の上面に突き当てた場合に、上側のコンテナの前記第２側壁と下側のコンテナの前記第２側壁との間に配置される第３ズレ規制突部が突出形成されたことを特徴とする請求項２又は３に記載のコンテナ。
【発明の詳細な説明】
【技術分野】
【０００１】
本発明は、外側面に複数の積上支持突部を備える一方、内側面に複数の突部受容溝を備えたコンテナであって、積み上げる際のコンテナの向きによって、上側のコンテナの積上支持突部が下側のコンテナの突部受容溝に受容されたネスティング状態と、上側のコンテナの積上支持突部が下側のコンテナの側壁上面に当接したスタッキング状態とに変更可能なコンテナに関する。
【０００２】
なお、以下の説明でコンテナをスタッキング状態に複数積み上げることを、適宜、単に「コンテナをスタッキングする」といい、コンテナをネスティング状態に複数積み上げることを、適宜、単に「コンテナをネスティングする」ということとする。
【背景技術】
【０００３】
従来、この種のコンテナとして、図２３に示すように、各側壁におけるコンテナのコーナー部近傍に積上支持突部を１つずつ備えたものが知られている。それら積上支持突部は、コーナー部の近傍領域内でもコーナー部から比較的離れた位置に配置された中央寄り積上支持突部３と、コーナー部に比較的近い位置に配置された端寄り積上支持突部４とに分けられる。そして、コンテナのうち第１水平方向Ｈ１で対向した１対の第１側壁１，１では、それら両方の第１側壁１，１における同じ一端側の積上支持突部が中央寄り積上支持突部３をなす一方、同じ他端側の積上支持突部が端寄り積上支持突部４になっている。また、第２水平方向Ｈ２で対向する１対の第２側壁２，２では、一方の第２側壁２の１対の積上支持突部が共に端寄り積上支持突部４，４をなす一方、図２３には示されていないが、他方の第２側壁２の１対の積上支持突部が共に中央寄り積上支持突部３になっている。これにより、何れの積上支持突部も他の積上支持突部に対して非点対称な配置となり、ネスティングとスタッキングとが可能になる。
【０００４】
ところで、このような構造のコンテナでは、上側のコンテナを傾斜姿勢としかつ積上支持突部を下側のコンテナの側壁上面に当接させてスライドさせる、所謂、スライド積み上げ操作を行うことで作業効率が向上する。特に、スタッキングするときに、図２３に示すように、上側のコンテナの１対の中央寄り積上支持突部３，３を、下側のコンテナの第１側壁１の上面上でスライドさせると、スライド中に上側のコンテナの積上支持突部が下側のコンテナの突部受容溝に受容されることはなく、上側のコンテナのスライド方向の前端部分が下側のコンテナの内側面に当接したら、上側のコンテナを水平姿勢に戻すだけでスタッキングが完了するので、スライド積み上げ操作を行うことで作用効率が大幅に向上する（例えば、特許文献１参照）。なお、以下の説明において、スライド積み上げ操作にてスタッキングすることを、適宜、「スライドスタッキング」ということとする。
【先行技術文献】
【特許文献】
【０００５】
【特許文献１】特許第３９８６６９３号公報（図６）
【発明の概要】
【発明が解決しようとする課題】
【０００６】
しかしながら、上述した従来のコンテナでは、スライド積み上げ操作の途中で、上側のコンテナの積上支持突部が下側のコンテナの側壁上面から外れて、上側のコンテナが下側のコンテナ内に落ち込むという不具合が発生することがあった。
【０００７】
本発明は、上記事情に鑑みてなされたもので、安定してスライド積み上げ操作を行うことが可能なコンテナの提供を目的とする。
【課題を解決するための手段】
【０００８】
上記目的を達成するためになされた請求項１の発明に係るコンテナは、上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、互いに直交した第１水平方向と第２水平方向のうち第１水平方向で対向した１対の第１側壁におけるコンテナのコーナー部近傍に積上支持突部を１つずつ設けて、それら両方の第１側壁における第２水平方向の一端側の積上支持突部を他端側の積上支持突部よりコンテナのコーナー部から比較的離れた中央寄り積上支持突部とする一方、他端側の積上支持突部をコンテナのコーナー部に比較的近い端寄り積上支持突部とし、コンテナの上に別のコンテナを１８０度旋回させて積み上げるか、旋回せずに積み上げるかによって、上側のコンテナの積上支持突部が下側のコンテナの突部受容溝に受容されたネスティング状態と、上側のコンテナの積上支持突部が下側のコンテナの第１側壁の上面に当接したスタッキング状態とに変更可能なコンテナにおいて、１対の第１側壁の外側面のうち中央寄り積上支持突部とコーナー部との間には、上側のコンテナを傾けて中央寄り積上支持突部を下側のコンテナにおける第１側壁の上面に突き当てた場合に、上側のコンテナの第１側壁と下側のコンテナの第１側壁との間に配置される第１ズレ規制突部が突出形成されたところに特徴を有する。
【０００９】
請求項２の発明に係るコンテナは、上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、積上支持突部を各側壁におけるコンテナのコーナー部近傍に１つずつ設け、互いに直交した第１水平方向と第２水平方向のうち第１水平方向で対向した１対の第１側壁では、それら両方の第１側壁における第２水平方向の一端側の積上支持突部を他端側の積上支持突部よりコンテナのコーナー部から比較的離れた中央寄り積上支持突部とする一方、他端側の積上支持突部をコンテナのコーナー部に比較的近い端寄り積上支持突部とし、第２水平方向で対向した１対の第２側壁では、一方の第２側壁における１対の積上支持突部を、共に、他方の第２側壁における１対の積上支持突部よりコンテナのコーナー部から比較的離れた中央寄り積上支持突部とする一方、他方の第２側壁における１対の積上支持突部を、共に、コンテナのコーナー部に比較的近い端寄り積上支持突部とし、コンテナの上に別のコンテナを１８０度旋回させて積み上げるか、旋回せずに積み上げるかによって、上側のコンテナの積上支持突部が下側のコンテナの突部受容溝に受容されたネスティング状態と、上側のコンテナの積上支持突部が下側のコンテナの第１側壁及び第２側壁の上面に当接したスタッキング状態とに変更可能なコンテナにおいて、１対の第１側壁の外側面のうち中央寄り積上支持突部とコーナー部との間には、上側のコンテナを傾けて第１側壁の中央寄り積上支持突部を下側のコンテナにおける第１側壁の上面に突き当てた場合に、上側のコンテナの第１側壁と下側のコンテナの第１側壁との間に配置される第１ズレ規制突部が突出形成され、一方の第２側壁の外側面のうち中央寄り積上支持突部とコーナー部との間には、上側のコンテナを傾けて第２側壁の端寄り積上支持突部を、下側のコンテナにおける第２側壁の上面に突き当てた場合に、上側のコンテナの第２側壁と下側のコンテナの第２側壁との間に配置される第２ズレ規制突部が突出形成されたところに特徴を有する。
【００１０】
請求項３の発明に係るコンテナは、上面開放の箱形構造をなし、その外側面における上下方向の中間位置より下側に突出形成された複数の積上支持突部と、内側面における上下方向の中間位置より上側に陥没形成された複数の突部受容溝とを備えたコンテナであって、互いに直交した第１水平方向と第２水平方向のうち第２水平方向で対向した１対の第２側壁におけるコンテナのコーナー部近傍に積上支持突部を１つずつ設けて、一方の第２側壁における１対の積上支持突部を、共に、他方の第２側壁における１対の積上支持突部よりコンテナのコーナー部から比較的離れた中央寄り積上支持突部とする一方、他方の第２側壁における１対の積上支持突部を、共に、コンテナのコーナー部に比較的近い端寄り積上支持突部とし、コンテナの上に別のコンテナを１８０度旋回させて積み上げるか、旋回せずに積み上げるかによって、上側のコンテナの積上支持突部が下側のコンテナの突部受容溝に受容されたネスティング状態と、上側のコンテナの積上支持突部が下側のコンテナの第２側壁の上面に当接したスタッキング状態とに変更可能なコンテナにおいて、一方の第２側壁の外側面のうち中央寄り積上支持突部とコーナー部との間には、上側のコンテナを傾けて第２側壁の端寄り積上支持突部を、下側のコンテナにおける第２側壁の上面に突き当てた場合に、上側のコンテナの第２側壁と下側のコンテナの第２側壁との間に配置される第２ズレ規制突部が突出形成されたところに特徴を有する。
【００１１】
請求項４の発明は、請求項２又は３に記載のコンテナにおいて、積上支持突部の下端部は、コンテナの外側面の下端より上方に配置され、他方の第２側壁の外側面における端寄り積上支持突部の下方でかつ第２水平方向で第２ズレ規制突部と対向する位置には、上側のコンテナを傾けて第２側壁の端寄り積上支持突部を、下側のコンテナにおける第２側壁の上面に突き当てた場合に、上側のコンテナの第２側壁と下側のコンテナの第２側壁との間に配置される第３ズレ規制突部が突出形成されたところに特徴を有する。
【発明の効果】
【００１２】
［請求項１の発明］
請求項１のコンテナでは、上側のコンテナの１対の中央寄り積上支持突部を下側のコンテナの１対の第１側壁の上面に突き当て、上側のコンテナを傾けた状態にしてスライドさせるスライド積み上げ操作を行うことができる。そして、そのスライド積み上げ操作中に、上側のコンテナの１対の第１ズレ規制突部が、上側のコンテナの第１側壁と下側のコンテナの第１側壁との間の隙間に配置されて上下のコンテナの横ズレが抑えられ、上側のコンテナの中央寄り積上支持突部が下側のコンテナの第１側壁上から外れるような事態の発生を防ぐことができる。これにより、安定したスライド積み上げ操作が可能になる。
【００１３】
［請求項２の発明］
請求項２のコンテナでは、上側のコンテナにおける１対の第１側壁の１対の中央寄り積上支持突部を下側のコンテナの１対の第１側壁の上面に突き当て、上側のコンテナを傾けた状態にしてスライドさせるスライド積み上げ操作と、上側のコンテナの第２側壁の端寄り積上支持突部を下側のコンテナの第２側壁の上面に突き当て、上側のコンテナを傾けた状態にしてスライドさせるスライド積み上げ操作とを行うことができる。そして、一方のスライド積み上げ操作中に、上側のコンテナの１対の第１ズレ規制突部が、上側のコンテナの第１側壁と下側のコンテナの第１側壁との間の隙間に配置されて上下のコンテナの横ズレが抑えられ、他方のスライド積み上げ操作中に、上側のコンテナの第２ズレ規制突部が、上下のコンテナの第２側壁と下側のコンテナの第２側壁との間の隙間に配置されて上下のコンテナの横ズレが抑えられる。これらにより、スライド積み上げ操作中に、上側のコンテナの積上支持突部が下側のコンテナの第１側壁上又は第２側壁上から外れるような事態の発生を防ぐことができ、安定したスライド積み上げ操作が可能になる。
【００１４】
［請求項３の発明］
請求項３のコンテナでは、上側のコンテナの第２側壁の端寄り積上支持突部を下側のコンテナの第２側壁の上面に突き当て、上側のコンテナを傾けた状態にしてスライドさせるスライド積み上げ操作とを行うことができる。そして、そのスライド積み上げ操作中に、上側のコンテナの第２ズレ規制突部が、上側のコンテナの第２側壁と下側のコンテナの第２側壁との間の隙間に配置されて上下のコンテナの横ズレが抑えられ、上側のコンテナの端寄り積上支持突部が下側のコンテナの第２側壁上から外れるような事態の発生を防ぐことができる。これにより、安定したスライド積み上げ操作が可能になる。
【００１５】
［請求項４の発明］
請求項４のコンテナによれば、下側のコンテナの第２側壁の上面に、上側のコンテナの端寄り積上支持突部を突き当てるスライド積み上げ操作を行う際に、上側のコンテナの第２ズレ規制突部と第３ズレ規制突部とが、上側のコンテナの第２側壁と下側のコンテナの第２側壁との間の隙間に配置される。これにより、スライド積み上げ操作中の上下のコンテナの横ズレがより確実に抑えられ、より安定したスライド積み上げ操作が可能になる。
【図面の簡単な説明】
【００１６】
【図１】本発明の第１実施形態に係るコンテナの斜視図
【図２】図１とは異なる方向から見たコンテナの斜視図
【図３】コンテナの下面側の斜視図
【図４】コンテナの下面図
【図５】コンテナのコーナー部近傍を拡大した下面図
【図６】コンテナのコーナー部近傍を拡大した斜視図
【図７】コンテナのコーナー部近傍を拡大した斜視図
【図８】第１側壁を拡大した斜視図
【図９】第１側壁を拡大した平面図
【図１０】第１側壁の一部を破断した斜視図
【図１１】スライドスタッキング中のコンテナの斜視図
【図１２】スライドスタッキング中のコンテナの一部を拡大した斜視図
【図１３】図１１のＡ切断面におけるコンテナの断面図
【図１４】図１１のＡ切断面におけるコンテナの部分拡大断面図
【図１５】図１１のＡ切断面におけるコンテナの部分拡大断面図
【図１６】スタッキングされたコンテナの斜視図
【図１７】ネスティングされたコンテナの斜視図
【図１８】第２実施形態のコンテナの斜視図
【図１９】図１８とは異なる方向から見たコンテナの斜視図
【図２０】コンテナの下面図
【図２１】コンテナのコーナー部近傍を拡大した下面図
【図２２】変形例に係るコンテナのコーナー部近傍を拡大した下面図
【図２３】従来のコンテナの斜視図
【発明を実施するための形態】
【００１７】
［第１実施形態］
以下、本発明の一実施形態を図１〜図１７に基づいて説明する。図１に示すように、本実施形態のコンテナ１０は、上面開放の箱形構造をなし、その底壁１６は、図４に示すようにメッシュ構造でかつ長方形になっている。そして、底壁１６の外縁部における短辺部分に配置された１対の側壁が、本発明に係る１対の第１側壁１１，１１をなす一方、長辺部分に配置された１対の側壁が本発明に係る１対の第２側壁１２，１２になっている。また、それら第１及び第２の側壁１１，１２は、底壁１６から斜め外側上方に向かうように傾斜している（図１３参照）。
【００１８】
なお、図１に示すように、第１及び第２の側壁１１，１２の下寄り位置には、四角形の貫通孔１７が部分的に複数貫通形成され、第１及び第２の側壁１１，１２の一部がメッシュ構造になっている。また、本実施形態では、底壁１６の長辺と平行な方向が、本発明の第１水平方向Ｈ１に相当し、底壁１６の短辺と平行な方向が本発明の第２水平方向Ｈ２に相当する。
【００１９】
図１に示すように、コンテナ１０は、その上端部から側方に張り出した上端フランジ壁１３を全体に備えている。また、コンテナ１０の四隅のコーナー部１０Ｃの近傍においては、上端フランジ壁１３の下方位置から側方にコーナーフランジ壁１４が張り出し、それらコーナー部１０Ｃの近傍を除いた部分においては、上端フランジ壁１３の下方位置から側方に補強フランジ壁１５が張り出している。また、コーナーフランジ壁１４は、コンテナ１０の上下方向の略中央に位置し、補強フランジ壁１５は、コンテナ１０の上下方向において上端フランジ壁１３とコーナーフランジ壁１４との中間に位置している。さらに、コーナーフランジ壁１４と上端フランジ壁１３との間は複数の縦リブ１４Ｌによって連絡され、補強フランジ壁１５と上端フランジ壁１３との間は複数の縦リブ１５Ｌによって連絡されている。そして、補強フランジ壁１５の両端部が、それぞれコーナーフランジ壁１４の端部の縦リブ１４Ｌに接続されている。なお、コンテナ１０の４辺の中央には、補強フランジ壁１５の一部を上方に突出させて、図３に示すように、下面が開放した筐体状の指掛け部１５Ｂが備えられている。
【００２０】
図１及び図２に示すように、コンテナ１０の外側面には、上下方向の中間位置から下端寄り位置の間に、複数の積上支持突部（図１及び図２の符号２０，２２，２４，２６）が突出形成されている。そして、これら積上支持突部を含んだコンテナ１０全体の形状が、第１水平方向Ｈ１におけるコンテナ１０の中心線ＣＬ１（図４参照）に対して線対称形状をなす一方、第２水平方向Ｈ２におけるコンテナ１０の中心線（図示せず）に対して非線対称形状になっている。詳細には、以下の通りである。
【００２１】
図４に示すように、複数の積上支持突部は、第１及び第２の各側壁１１，１２に１対ずつ備えられると共に、第１及び第２の各側壁１１，１２の両コーナー部１０Ｃの近傍領域に１つずつ分けて配置されて、各コーナーフランジ壁１４の下方に位置している。また、これら積上支持突部は、コーナー部１０Ｃの近傍領域内でも、コーナー部１０Ｃから比較的離れた位置に配置された中央寄り積上支持突部２２，２６と、コーナー部１０Ｃに比較的近い位置に配置された端寄り積上支持突部２０，２４とに分けることができ、１対の第１側壁１１，１１に関しては、それら各第１側壁１１における第２水平方向Ｈ２の一端側（即ち、一方の第２側壁１２側）に、中央寄り積上支持突部２２が設けられる一方、他端側（他方の第２側壁１２側）に端寄り積上支持突部２４が設けられている。また、１対の第２側壁１２，１２では、一方の第２側壁１２の両端部に中央寄り積上支持突部２６，２６が設けられる一方、他方の第２側壁１２の両端部に、端寄り積上支持突部２０，２０が設けられている。また、中央寄り積上支持突部２２，２６同士は、横幅が略同一になっていて、端寄り積上支持突部２０，２４同士も横幅が略同一になっている。さらに、端寄り積上支持突部２０，２４の横幅は、中央寄り積上支持突部２２，２６の横幅の２〜３倍程度の大きさになっている。なお、以下の説明において、中央寄り積上支持突部２２，２６と端寄り積上支持突部２０，２４とを総称する場合には、単に「積上支持突部」、「積上支持突部群」等というものとする。
【００２２】
次に、全ての積上支持突部に共通の構造について説明する。積上支持突部は、図６に端寄り積上支持突部２０及び中央寄り積上支持突部２２を代表的に示したように、コンテナ１０の側面から突出して上下方向に延びた１対の縦リブ２０Ａ，２０Ａの下端部を、下端板２０Ｂで連絡した構造になっている。それら１対の縦リブ２０Ａ，２０Ａの上端部は、コーナーフランジ壁１４の下面に接続され、縦リブ２０Ａ，２０Ａの下端部は、底壁１６の下面より上方に配置されている。また、下端板２０Ｂは、水平な板状をなして、コンテナ１０の外側面から１対の縦リブ２０Ａ，２０Ａと同じ位置まで突出している。
【００２３】
次に、第２側壁１２に配置された端寄り積上支持突部２０及び中央寄り積上支持突部２６に特有の構造について説明する。図６に示すように、第２側壁１２に配置された端寄り積上支持突部２０及び中央寄り積上支持突部２６（図６には、端寄り積上支持突部２０のみが示されている。中央寄り積上支持突部２６は、図２参照）では、下端板２０Ｂが縦リブ２０Ａ，２０Ａの下端面より上方にずらして配置され、下端板２０Ｂより下側部分では、１対の縦リブ２０Ａ，２０Ａの先端縁部の間が、下端板２０Ｂの先端縁から下方に直角曲げされた補助連絡壁２０Ｃによって連絡されている。そして、補助連絡壁２０Ｃの下端面が縦リブ２０Ａ，２０Ａと面一になっている。また、これら補助連絡壁２０Ｃの下端面と縦リブ２０Ａ，２０Ａの下端面とから構成された部分は、コンテナ１０を他のコンテナ１０の上にスタッキングしたときに、下側のコンテナ１０における第２側壁１２の上面に当接する下端当接面（端寄り積上支持突部２０では、「下端当接面２０Ｔ」、中央寄り積上支持突部２６では、「下端当接面２６Ｔ」。図５参照）になっている。
【００２４】
また、図１及び図２に示すように、端寄り積上支持突部２０及び中央寄り積上支持突部２６の下方には、第２側壁１２の横方向の中央側に配置された縦リブ２０Ａの一部をコンテナ１０の下端まで延長して横ズレ規制リブ（端寄り積上支持突部２０では、「横ズレ規制リブ３３」、中央寄り積上支持突部２６では、「横ズレ規制リブ３４」。図４参照）が形成されている。ここで、第２側壁１２は、上述したように上方に向かって斜め外側に傾斜しているので、コーナーフランジ壁１４の下面とコンテナ１０の第２側壁１２の外側面との交線から鉛直下方に架空の垂直面を垂下させると、その架空の垂直面と第２側壁１２の外側面との間に空間（以下、「側面勾配空間」という）が形成される。そして、横ズレ規制リブ３３，３４の上端部が、側面勾配空間の外側に僅かに突出する大きさをなし、横ズレ規制リブ３３，３４における上端部を除いた全体は、側面勾配空間の内側に収まる大きさになっている。
【００２５】
次に、第１側壁１１に配置された中央寄り積上支持突部２２及び端寄り積上支持突部２４に特有の構造について説明する。図７に示すように、第１側壁１１に配置された中央寄り積上支持突部２２及び端寄り積上支持突部２４（図７には、端寄り積上支持突部２４のみが示されている。中央寄り積上支持突部２２は、図６参照）では、下端板２０Ｂの下面と縦リブ２０Ａ，２０Ａの下面とが面一になっている。そして、下端板２０Ｂの先端部から下向当接片（中央寄り積上支持突部２２では、「下向当接片２３」、端寄り積上支持突部２４では、「下向当接片２５」）が鉛直下方に突出し、その下向当接片の下端面が、コンテナ１０を他のコンテナ１０の上にスタッキングしたときに、下側のコンテナ１０における第１側壁１１の上面に当接する下端当接面（中央寄り積上支持突部２２では、「下端当接面２３Ｔ」、端寄り積上支持突部２４では、「下端当接面２５Ｔ」。図５参照）になっている。また、これら下端当接面２３Ｔ，２５Ｔは、上記した第２側壁１２の端寄り積上支持突部２０及び中央寄り積上支持突部２６の下端当接面２０Ｔ，２６Ｔと面一になっている。
【００２６】
図７に示すように下向当接片２３，２５（下向当接片２３に関しては、図６参照）の両端部には、下端板２０Ｂの下面との間を連絡する１対の連絡補強リブ２７Ｌ，２７Ｌが設けられている。また、それら連絡補強リブ２７Ｌ，２７Ｌのうち第１側壁１１の外側面側を向いた面は、下端板２０Ｂから鉛直下方に延びた鉛直面２７Ｕと、その鉛直面２７Ｕの下端部から下方に向かうに従って下向当接片２３，２５側に接近するように傾斜した傾斜面２７Ｓとから構成されている。
【００２７】
図６に示すように、中央寄り積上支持突部２２及び端寄り積上支持突部２４の下方には、下端板２０Ｂからコンテナ１０の下端まで延びた横ズレ規制リブ（中央寄り積上支持突部２２では、「横ズレ規制リブ３１」、端寄り積上支持突部２４では、「横ズレ規制リブ３２」。図７参照）が設けられている。これら横ズレ規制リブ３１，３２も、第２側壁１２の横ズレ規制リブ３３，３４と同様に上端部が上記した側面勾配空間の外側に僅かに突出する大きさをなし、上端部を除いた全体が、側面勾配空間の内側に収まる大きさになっている。
【００２８】
さて、図５に示すように、各第１側壁１１の外側面のうち中央寄り積上支持突部２２とコーナー部１０Ｃとの間には、横ズレ規制突部３０（本発明の「第１ズレ規制突部」に相当する）がそれぞれ突出形成されている。図６に示すように、横ズレ規制突部３０は、第１側壁１１の外側面とコーナー部１０Ｃの外側湾曲面との間の境界線Ｒ１に隣接して配置され、コーナーフランジ壁１４の下面からコンテナ１０の下端の僅か上方となる位置まで延びている。また、横ズレ規制突部３０のうち、上下方向において横ズレ規制リブ３１の上端部と略同一の位置より下側部分がズレ規制部３０Ａになっていて、そのズレ規制部３０Ａの先端面は、横ズレ規制リブ３１の先端面と略同一になっている。さらに、図１４に示すように、横ズレ規制突部３０のうちズレ規制部３０Ａより上側部分の先端面は、ズレ規制部３０Ａの先端面より外側に位置している。また、横ズレ規制突部３０のうちズレ規制部３０Ａより上側部分は、第１側壁１１の外側面の傾斜によって、上方に向かうに従って第１側壁１１の外側面から突出量が徐々に小さくなった形状になっている。
【００２９】
コンテナ１０の外側面の構造に関する説明は以上である。次に、コンテナ１０の内側面及び上面の構造について説明する。図１及び図２に示すように、コンテナ１０の内側面には、複数の突部受容溝（図１及び図２の符号４０，４２，４４，４６）が陥没形成されている。これら複数の突部受容溝は、コンテナ１０の上面からコーナーフランジ壁１４に亘って上下方向に延びた角溝形状をなし、積上支持突部と同様に、何れもコーナー部１０Ｃの近傍領域に配置されている。なお、第１側壁１１及び第２側壁１２のうち突部受容溝が形成された部分は、外側面側においては、角柱状になって上端フランジ壁１３とコーナーフランジ壁１４との間に延びている。
【００３０】
複数の突部受容溝は、積上支持突部群と同様にコーナー部１０Ｃの近傍領域内でも、コーナー部１０Ｃから比較的離れた位置に配置された中央寄り突部受容溝４２，４６と、コーナー部１０Ｃに比較的近い位置に配置された端寄り突部受容溝４０，４４とに分けることができる。そして、図２に示すように、１対の中央寄り積上支持突部２６，２６を外側面に備えた一方の第２側壁１２には、それら両中央寄り積上支持突部２６，２６よりコーナー部１０Ｃ，１０Ｃに近い位置に端寄り突部受容溝４０，４０が配置され、それとは逆に、図１に示すように、１対の端寄り積上支持突部２０，２０を外側面に備えた他方の第２側壁１２には、それら両端寄り積上支持突部２０，２０よりコーナー部１０Ｃ，１０Ｃから遠い位置に中央寄り突部受容溝４６，４６が配置されている。そして、一方の第２側壁１２の端寄り突部受容溝４０，４０同士の間隔及び各端寄り突部受容溝４０の横幅は、他方の第２側壁１２の端寄り積上支持突部２０，２０同士の間隔及び各端寄り積上支持突部２０の横幅と同じになっている。また、他方の第２側壁１２の中央寄り突部受容溝４６，４６同士の間隔及び各中央寄り突部受容溝４６の横幅は、一方の第２側壁１２の中央寄り積上支持突部２６，２６同士の間隔及び各中央寄り積上支持突部２６の横幅と同じになっている。
【００３１】
また、図１及び図２に示すように、両第１側壁１１，１１では、端寄り積上支持突部２４よりコーナー部１０Ｃから遠い位置に中央寄り突部受容溝４２が配置されると共に、中央寄り積上支持突部２２よりコーナー部１０Ｃに近い位置に端寄り突部受容溝４４が配置されている。そして、それら中央寄り突部受容溝４２と端寄り突部受容溝４４との間隔は、第１側壁１１に備えた端寄り積上支持突部２４と中央寄り積上支持突部２２との間隔と同じで、中央寄り突部受容溝４２の横幅は中央寄り積上支持突部２２の横幅と同じで、さらには、端寄り突部受容溝４４の横幅は端寄り積上支持突部２４の横幅と同じになっている。
【００３２】
これらにより、コンテナ１０に対して、他のコンテナ１０を１８０度旋回させて上から重ねると、上側のコンテナ１０の端寄り積上支持突部２０，２４が、下側のコンテナ１０の端寄り突部受容溝４０，４４に受容されると共に、上側のコンテナ１０の中央寄り積上支持突部２２，２６が、下側のコンテナ１０の中央寄り突部受容溝４２，４６に受容されたネスティング状態になる（図１７参照）。また、ネスティング状態になると、上側のコンテナ１０のコーナーフランジ壁１４が、下側のコンテナ１０の上端フランジ壁１３に当接する。
【００３３】
なお、以下の説明において、端寄り突部受容溝４０，４４及び中央寄り突部受容溝４２，４６を総称する場合には、単に「突部受容溝」、「突部受容溝群」というものとする。
【００３４】
図１及び図２に示すように、各突部受容溝の底面と第１側壁１１及び第２側壁１２の内側面との交差部分には、各積上支持突部の下方の横ズレ規制リブ３１，３２，３３，３４の上端部との干渉を避けるための切欠部４０Ａ，４２Ａ，４４Ａ，４６Ａが形成されている。また、上述したように横ズレ規制リブ３１，３２，３３，３４の上端部を除く全体は、側面勾配空間の内側に収まる大きさになっているので、ネスティングした際に下側のコンテナ１０の内側面の内側に収まる。
【００３５】
図１に示すように、各第１側壁１１のうち中央寄り突部受容溝４２よりコーナー部１０Ｃ側には、リブ受容溝５０が形成されている。リブ受容溝５０は、突部受容溝と同様に、コーナーフランジ壁１４から上方に延びた角溝形状をなしている。また、第１側壁１１のうちリブ受容溝５０が形成された部分は、外側面側においては、突部受容溝と同様に、角柱状になって上端フランジ壁１３とコーナーフランジ壁１４との間に延びている。そして、上述したようにコンテナ１０がネスティングされたときに、横ズレ規制突部３０におけるズレ規制部３０Ａより上側部分がリブ受容溝５０に受容される。
【００３６】
図１に示すように、端寄り突部受容溝４０，４０を備えた一方の第２側壁１２の上面には上端フランジ壁１３の上面の一部を段付き状に陥没させて１対の中央寄突部載置面４１，４１が形成されている。各中央寄突部載置面４１は、矩形状をなし、各端寄り突部受容溝４０に対してコーナー部１０Ｃの反対側に配置され、中央寄り積上支持突部２６（図２参照）全体を上方から覆っている。詳細には、中央寄突部載置面４１のうち端寄り突部受容溝４０から離れた側の縁部と、第２側壁１２の内側面から離れた側の縁部とには、上端フランジ壁１３の上面と中央寄突部載置面４１との間の段差面が備えられている。また、中央寄突部載置面４１は、端寄り突部受容溝４０の内側面と、第２側壁１２の内側面とに略直交した状態に繋がっている。さらには、中央寄突部載置面４１のうち第２側壁１２の内側面から離れた側の縁部と上端フランジ壁１３の上面との間の段差面は、端寄り突部受容溝４０における第２側壁１２の内側面から離れた側の内面と面一になっている。
【００３７】
図２に示すように、中央寄り突部受容溝４６，４６を備えた他方の第２側壁１２の上面には、上端フランジ壁１３の上面の一部を段付き状に陥没させて１対の端寄突部載置面４７，４７が形成されている。各端寄突部載置面４７は、各中央寄り突部受容溝４６の上端開口縁からコーナー部１０Ｃ側に延びた矩形状をなし、中央寄突部載置面４１と面一になっている。そして、各端寄突部載置面４７は、それぞれ端寄り積上支持突部２０（図１参照）全体を上方から覆っている。なお、各端寄突部載置面４７も、上記した中央寄突部載置面４１と同様に、上端フランジ壁１３の上面との間に段差面を有すると共に、中央寄り突部受容溝４６の内側面と第２側壁１２の内側面とに略直交した状態に繋がっている。
【００３８】
図１及び図２に示すように、各第１側壁１１の上面には、両端のコーナー部１０Ｃ，１０Ｃの間で、端寄り突部受容溝４４及び中央寄り突部受容溝４２を除いた全体に亘って帯状突部載置面４３が形成されている。具体的には、帯状突部載置面４３は、上端フランジ壁１３の上面の一部を、中央寄突部載置面４１及び端寄突部載置面４７と略面一となる位置まで陥没させてなる。そして、帯状突部載置面４３は、帯状をなして、端寄り突部受容溝４４の上端開口縁のうちリブ受容溝５０側の縁部からリブ受容溝５０におけるコーナー部１０Ｃ寄りの内側面の位置まで延び、リブ受容溝５０寄り位置で中央寄り突部受容溝４２によって分断されている。また、帯状突部載置面４３のうちリブ受容溝５０側の端縁部には、上端フランジ壁１３の上面と帯状突部載置面４３との間に段差面が備えられ、その段差面は、リブ受容溝５０の内側面と面一になっている。
【００３９】
図８に示すように、帯状突部載置面４３のうち第１側壁１１の内側面から離れた側の縁部には、上端フランジ壁１３の上面と帯状突部載置面４３との間にガイド用段差面５４が備えられている。ガイド用段差面５４の両端部は、垂直ガイド面５４Ｄ，５４Ｄになっていて、それら垂直ガイド面５４Ｄ，５４Ｄの間は、１対の横傾斜ガイド面５４Ａ，５４Ａ及び縦傾斜ガイド面５４Ｂになっている。垂直ガイド面５４Ｄ，５４Ｄは、帯状突部載置面４３から略垂直に起立し、かつ、端寄り突部受容溝４４及び中央寄り突部受容溝４２の内面と面一になっている。それら垂直ガイド面５４Ｄ，５４Ｄにおける横傾斜ガイド面５４Ａ，５４Ａ側の端部は、第１側壁１１の両端のコーナーフランジ壁１４，１４（図１参照）における互いに接近した側の端部より、さらに互いに接近する側にずれた位置に配置されている。そして、横傾斜ガイド面５４Ａ，５４Ａは、垂直ガイド面５４Ｄ，５４Ｄの端部の垂直折曲線Ｌ３，Ｌ３を中心にして垂直ガイド面５４Ｄ，５４Ｄの架空の延長面を、外側に折り曲げた形状をなし（図９参照）、縦傾斜ガイド面５４Ｂは、垂直ガイド面５４Ｄ，５４Ｄの架空の延長面を下端部を中心に外側に倒して傾斜させた形状になっている。これにより、横傾斜ガイド面５４Ａ，５４Ａと縦傾斜ガイド面５４Ｂの両端部との間には、垂直折曲線Ｌ３，Ｌ３の下端部から斜め上方に延び交線Ｌ４，Ｌ４が形成されている。
【００４０】
帯状突部載置面４３のうち第１側壁１１の内側面側の縁部からはガイド突条５３が突出している。ガイド突条５３の両端部は、ガイド用段差面５４における上記１対の垂直折曲線Ｌ３，Ｌ３よりコーナー部１０Ｃ，１０Ｃ側に一定量だけずれた配置になっている。そして、ガイド突条５３のうち両端部から垂直折曲線Ｌ３，Ｌ３と対向する位置までは、均一な高さをなした高ガイド部５３Ａ，５３Ａになっている。また、ガイド突条５３の長手方向の中間部分は、高ガイド部５３Ａ，５３Ａより低い均一高さをなして延びた低ガイド部５３Ｃになっていて、高ガイド部５３Ａ，５３Ａと低ガイド部５３Ｃとの間が、高ガイド部５３Ａ，５３Ａから低ガイド部５３Ｃに向かって徐々に低くなった１対の傾斜ガイド部５３Ｂ，５３Ｂになっている。また、図１０に示すように、帯状突部載置面４３に対する高ガイド部５３Ａ，５３Ａの上端面までの高さは、帯状突部載置面４３から上端フランジ壁１３の上面までの高さと略同一になっている。
【００４１】
図８に示した帯状突部載置面４３のうち中央寄り突部受容溝４２よりリブ受容溝５０側の領域は、前述した端寄突部載置面４７に相当する端寄突部載置部４３Ａになっていて、この端寄突部載置部４３Ａが端寄り積上支持突部２４（図１参照）全体を上方から覆っている。また、帯状突部載置面４３のうちガイド突条５３の端部より端寄り突部受容溝４４側の領域は、前述した中央寄突部載置面４１に相当する中央寄突部載置部４３Ｂになっていて、この中央寄突部載置部４３Ｂが中央寄り積上支持突部２２（図１参照）全体を上方から覆っている。そして、コンテナ１０に対して、他のコンテナ１０を同じ向きで上から重ねると、上側のコンテナ１０の端寄り積上支持突部２０，２４の下端当接面２０Ｔ，２５Ｔ（図５参照）が、下側のコンテナ１０の端寄突部載置面４７及び端寄突部載置部４３Ａに当接すると共に、上側のコンテナ１０の中央寄り積上支持突部２２，２６の下端当接面２３Ｔ，２６Ｔ（図５参照）が、下側のコンテナ１０の中央寄突部載置面４１及び中央寄突部載置部４３Ｂに当接したスタッキング状態になる（図１６参照）。また、スタッキング状態になると、上側のコンテナ１０の横ズレ規制リブ３１，３２，３３，３４（図４参照）が、下側のコンテナ１０の上部内側面に突き合わされた状態になって、上下のコンテナ１０，１０の横ズレが抑えられる。
【００４２】
図８に示すように、端寄突部載置部４３Ａのうち第１側壁１１の内側面側の縁部からは、係止突条５１が突出している。係止突条５１は、端寄突部載置部４３Ａの長手方向の中間部に配置されている。これと同様に、中央寄突部載置部４３Ｂのうち第１側壁１１の内側面側の縁部からは、係止突条５２が突出している。係止突条５２も、係止突条５１と同様に中央寄突部載置部４３Ｂの長手方向の中間部に配置されている。そして、コンテナ１０をスタッキングしたとき、係止突条５１が端寄り積上支持突部２４の下向当接片２５と対向し、係止突条５２が中央寄り積上支持突部２２の下向当接片２３と対向する。
【００４３】
本実施形態のコンテナ１０の構成に関する説明は以上である。次に、このコンテナ１０の作用効果について説明する。本実施形態のコンテナ１０は、上記したようにコンテナ１０同士を同じ向きにして積み上げればスタッキング状態になり、上下のコンテナ１０の向きを１８０度異ならせて積み上げればネスティング状態になる。これらスタッキング状態及びネスティング状態に積み上げる際に、上側のコンテナ１０を下側のコンテナ１０に対して真上から降下して積み上げていってもよいが、上側のコンテナ１０を下側のコンテナ１０に対してスライドさせるスライド積み上げ操作を行うことで作業効率が向上する。
【００４４】
まず、スタッキングする際のスライド積み上げ操作（即ち、スライドスタッキング）について説明する。スライドスタッキングを行うには、図１１に示すように下側のコンテナ１０における１対の第１側壁１１，１１の上面中央付近に、上側のコンテナ１０の中央寄り積上支持突部２２，２２を突き当てて上側のコンテナ１０を傾斜姿勢とし、上側のコンテナ１０を下側のコンテナ１０の上面上で第２水平方向Ｈ２にスライドさせればよい。
【００４５】
詳細には、下側のコンテナ１０における１対の第１側壁１１，１１の上面に、上側のコンテナ１０の中央寄り積上支持突部２２，２２を突き当てる。すると、図１４に示すように、各中央寄り積上支持突部２２の下向当接片２３の下端当接面２３Ｔが第１側壁１１の上面の帯状突部載置面４３に当接し、下向当接片２３がガイド用段差面５４とガイド突条５３との間に配置される。そして、コンテナ１０を傾けることで、図１２に示すように、上側のコンテナ１０のうち中央寄り積上支持突部２２よりコーナー部１０Ｃ側が下側のコンテナ１０内に突入した状態になり、上側のコンテナ１０の各中央寄り積上支持突部２２とコーナー部１０Ｃとの間に備えた１対の横ズレ規制突部３０，３０が、図１３に示すように、上側のコンテナ１０の第１側壁１１と下側のコンテナ１０の第１側壁１１との間の隙間に配置される。
【００４６】
このとき、図１５に示すように、上側のコンテナ１０が下側のコンテナ１０に対して横方向にずれて載置されても、例えば、上側のコンテナ１０の一方の下向当接片２３に備えた傾斜面２７Ｓが、下側の第１側壁１１の上端部に備えたガイド突条５３に摺接して、上側のコンテナ１０が正規の位置（図１４に示した位置）に近づくように案内される。また、仮に、上側のコンテナ１０の一方の中央寄り積上支持突部２２より他方の中央寄り積上支持突部２２が下方に位置するように傾き、その下方側の中央寄り積上支持突部２２が、下側のコンテナ１０のガイド突条５３から外側に外れても、下側のコンテナ１０におけるガイド用段差面５４の縦傾斜ガイド面５４Ｂに、上側のコンテナ１０の中央寄り積上支持突部２２の下向当接片２３が摺接して正規の位置に近づくように案内される。
【００４７】
さて、上側のコンテナ１０を下側のコンテナ１０に対して第２水平方向Ｈ２（図１１参照）にスライド操作する際に、そのスライド操作のばらつきにより、上側のコンテナ１０が下側のコンテナ１０に対して第１水平方向Ｈ１（スライド方向と直交する方向）にも操作力を受け得る。しかしながら、図１４に示すように、上側のコンテナ１０に備えた１対の横ズレ規制突部３０，３０が、上側のコンテナ１０の第１側壁１１と下側のコンテナ１０の第１側壁１１との間の隙間に配置されて、上下のコンテナ１０，１０の横ズレが抑えられ、上側のコンテナ１０の中央寄り積上支持突部２２，２２が下側のコンテナ１０の第１側壁１１，１１上から外れるような事態の発生が防がれる。そして、上側のコンテナ１０における横ズレ規制突部３０，３０のズレ規制部３０Ａ，３０Ａを下側のコンテナ１０の内側面に摺接させてスムーズかつ安定したスライド積み上げ操作が可能になる。また、上側のコンテナ１０をスライドさせて行くと、その上側のコンテナ１０のスライド方向の前端部分が下側のコンテナ１０の第２側壁１２の内側面に当接して止まるので、そこで、上側のコンテナ１０を水平姿勢に戻せば、スタッキング状態になる。
【００４８】
また、コンテナ１０をネスティングする場合には、下側のコンテナ１０に対して上側のコンテナ１０の向きを１８０度旋回させて、スタッキングする場合と同様に、下側のコンテナ１０における１対の第１側壁１１，１１の上面中央付近に、上側のコンテナ１０の中央寄り積上支持突部２２，２２を突き当てて上側のコンテナ１０を傾斜姿勢とし、第２水平方向Ｈ２にスライドさせればよい。すると、上記したスライドスタッキングの場合と同様に、上側のコンテナ１０における横ズレ規制突部３０，３０によって上下のコンテナ１０，１０の横ズレが抑えられ、スムーズかつ安定したスライド積み上げ操作が可能になる。そして、上側のコンテナ１０をスライドさせて行くと、その上側のコンテナ１０の中央寄り積上支持突部２２，２２が下側のコンテナ１０の中央寄り突部受容溝４２，４２（図１参照）に突入すると共に、上側のコンテナ１０の端寄り積上支持突部２０，２０が下側のコンテナ１０の端寄り突部受容溝４０，４０（図１参照）に突入するので、そこで、上側のコンテナ１０を水平姿勢に戻せば、上側のコンテナ１０の全ての積上支持突部が、下側のコンテナ１０の突部受容溝に受容されてネスティング状態になる。このよう本実施形態のコンテナ１０によれば、スタッキングする場合もネスティングする場合も、共にスムーズかつ安定したスライド積み上げ操作が可能になる。
【００４９】
［第２実施形態］
本実施形態のコンテナ１０Ｖは、図１８〜図２１に示されている。図２０に示すように、本実施形態のコンテナ１０Ｖでは、第１実施形態のコンテナ１０とは逆に、底壁１６の外縁部における長辺部分に配置された１対の側壁が、本発明に係る１対の第１側壁６１，６１をなす一方、短辺部分に配置された１対の側壁が本発明に係る１対の第２側壁６２，６２になっている。そして、両方の第１側壁６１，６１における一方の第２側壁６２側に、中央寄り積上支持突部２６が設けられる一方、他方の第２側壁６２側に端寄り積上支持突部２０が設けられている。また、１対の第２側壁６２，６２では、一方の第２側壁６２の両端部に中央寄り積上支持突部２２，２２が設けられる一方、他方の第２側壁６２の両端部に、端寄り積上支持突部２４，２４が設けられている。
【００５０】
また、コンテナ１０Ｖの内側面の突部受容溝も、上記した積上支持突部に対応して前記第１実施形態とは異なる配置になっている。即ち、図１８に示すように、１対の中央寄り積上支持突部２２，２２を外側面に備えた一方の第２側壁６２には、それら両中央寄り積上支持突部２２，２２よりコーナー部１０Ｃ，１０Ｃに近い位置に端寄り突部受容溝４４，４４が配置され、図１９に示すように、１対の端寄り積上支持突部２４，２４を外側面に備えた他方の第２側壁６２には、それら両端寄り積上支持突部２４，２４よりコーナー部１０Ｃ，１０Ｃから遠い位置に中央寄り突部受容溝４２，４２が配置されている。また、両第１側壁６１，６１には、端寄り積上支持突部２０よりコーナー部１０Ｃから遠い位置に中央寄り突部受容溝４６が配置されると共に、中央寄り積上支持突部２６よりコーナー部１０Ｃに近い位置に端寄り突部受容溝４０が配置されている。さらに、図１８及び図１９に示すように、各第２側壁６２の上面には、前記した帯状突部載置面４３、ガイド用段差面５４及びガイド突条５３が形成されている。
【００５１】
さて、図１８に示すように、本実施形態では、中央寄り積上支持突部２２，２２を備えた一方の第２側壁６２のうち各中央寄り積上支持突部２２とコーナー部１０Ｃとの間に横ズレ規制突部３０Ｖ（本発明の「第２ズレ規制突部」に相当する）がそれぞれ設けられている。そして、これら一方の第２側壁６２の１対の横ズレ規制突部３０Ｖ，３０Ｖが、図２０及び図２１に示すように、他方の第２側壁６２の端寄り積上支持突部２４，２４の下方に備えた１対の横ズレ規制リブ３２，３２に対向配置されている。
【００５２】
なお、本実施形態では、横ズレ規制リブ３２が、本発明に係る「第３ズレ規制突部」に相当する。また、本実施形態の１対の横ズレ規制突部３０Ｖ，３０Ｖは、前記第１実施形態の横ズレ規制突部３０と同じ形状をなしている。その他の構成に関しては、前記第１実施形態と同じであるので、重複した説明は省略する。
【００５３】
本実施形態の構成によれば、コンテナ１０Ｖをスタッキング又はネスティングする際に、下側のコンテナ１０Ｖの第２側壁６２の上面に、上側のコンテナ１０Ｖの端寄り積上支持突部２４を突き当て、そのコンテナ１０Ｖを傾けた状態にしてスライド積み上げ操作を行うことができる。そして、そのスライド積み上げ操作の際に、横ズレ規制突部３０Ｖと横ズレ規制リブ３２が、上側のコンテナ１０Ｖの第２側壁６２と下側のコンテナ１０Ｖの第２側壁６２との間の隙間に配置されて、上下のコンテナ１０Ｖ，１０Ｖの横ズレが抑えられ、スムーズかつ安定したスライド積み上げ操作が可能になる。
【００５４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５５】
（１）図２２に示すように、前記第１実施形態のコンテナ１０の第２側壁１２における中央寄り積上支持突部２６，２６よりコーナー部１０Ｃ，１０Ｃ側に、横ズレ規制突部３０と同様の横ズレ規制突部３０Ｗ，３０Ｗを本発明に係る「第２ズレ規制突部」として設けると共に、それら横ズレ規制突部３０Ｗ，３０Ｗと第２水平方向Ｈ２で端寄り積上支持突部２０，２０の下方に、横ズレ規制リブ３３と同様の横ズレ規制リブ３３Ｗ，３３Ｗを本発明に係る「第３ズレ規制突部」として設けた構成にしてもよい。このような構成にすれば、第１と第２の実施形態のコンテナ１０，１０Ｖを併せた効果を奏することができる。
【００５６】
（２）前記第１及び第２の実施形態では、１対の第１側壁１１，１１（６１，６１）と１対の第２側壁１２，１２（６２，６２）全ての側壁に１対ずつの積上支持突部が備えられていたが、１対の第１側壁にのみ、又は、１対の第２側壁にのみ積上支持突部を設けて、本発明を適用してもよい。
【符号の説明】
【００５７】
１０，１０Ｖ，１０Ｗ    コンテナ
１１，６１    第１側壁
１２，６２    第２側壁
２０，２４    端寄り積上支持突部
２２，２６    中央寄り積上支持突部
３０    横ズレ規制突部（第１ズレ規制突部）
３０Ｖ，３０Ｗ  横ズレ規制突部（第２ズレ規制突部）
３３Ｗ  横ズレ規制リブ（第３ズレ規制突部）
４０，４４    端寄り突部受容溝
４２，４６    中央寄り突部受容溝
Ｈ１    第１水平方向
Ｈ２    第２水平方向
【図１】
0005682964.tif 000002
【図２】
0005682964.tif 000003
【図３】
0005682964.tif 000004
【図４】
0005682964.tif 000005
【図５】
0005682964.tif 000006
【図６】
0005682964.tif 000007
【図７】
0005682964.tif 000008
【図８】
0005682964.tif 000009
【図９】
0005682964.tif 000010
【図１０】
0005682964.tif 000011
【図１１】
0005682964.tif 000012
【図１２】
0005682964.tif 000013
【図１３】
0005682964.tif 000014
【図１４】
0005682964.tif 000015
【図１５】
0005682964.tif 000016
【図１６】
0005682964.tif 000017
【図１７】
0005682964.tif 000018
【図１８】
0005682964.tif 000019
【図１９】
0005682964.tif 000020
【図２０】
0005682964.tif 000021
【図２１】
0005682964.tif 000022
【図２２】
0005682964.tif 000023
【図２３】
0005682964.tif 000024